(57)【要約】      （修正有）【課題】雨やゴミ等の浸入や付着を防止しつつ容易かつ確実にレンズ交換を行うことができるカメラ収容袋を提供する。【解決手段】カメラ収容袋は、開閉可能に構成され、かつカメラを内部空間部に収容できる袋体３を備え、この袋体３が、内部空間部を外部から視認できる透明部１２と、外部との遮断状態で手を内部空間部に挿入できる一対の手挿入用開口部１３とを有する。上記袋体３が、一端側が上記手挿入用開口部１３の開口縁に固着され、他端側が上記内部空間部に延出する筒状の袖部をさらに有するとよい。一対の上記手挿入用開口部１３を閉塞可能な被覆部材１１を有するとよい。網目状部位を有し、上記内部空間部を区画する内壁部材をさらに備え、上記透明部１２及び一対の手挿入用開口部１３が上記内壁部材によって区画される一の領域に配設され、上記袋体３が、上記一の領域と区画される他の領域に掃除機ノズルを挿入できるノズル挿入用開口部１６をさらに有するとよい。【選択図】図２
0003195335.tif 000002
【実用新案登録請求の範囲】
【請求項１】
開閉可能に構成され、かつカメラを内部空間部に収容できる袋体を備え、
この袋体が、内部空間部を外部から視認できる透明部と、外部との遮断状態で手を内部空間部に挿入できる一対の手挿入用開口部とを有するカメラ収容袋。
【請求項２】
上記袋体が、一端側が上記手挿入用開口部の開口縁に固着され、他端側が上記内部空間部に延出する筒状の袖部をさらに有する請求項１に記載のカメラ収容袋。
【請求項３】
一対の上記手挿入用開口部を閉塞可能な被覆部材をさらに有する請求項１又は請求項２に記載のカメラ収容袋。
【請求項４】
網目状部位を有し、上記内部空間部を区画する内壁部材をさらに備え、
上記透明部及び一対の手挿入用開口部が上記内壁部材によって区画される一の領域に配設され、
上記袋体が、上記一の領域から区画される他の領域に掃除機ノズルを挿入できるノズル挿入用開口部をさらに有する請求項１、請求項２又は請求項３に記載のカメラ収容袋。
【請求項５】
請求項１から請求項４のいずれか１項に記載のカメラ収容袋を備えるカメラバッグ。
【考案の詳細な説明】
【技術分野】
【０００１】
本考案は、カメラ収容袋及びカメラバッグに関する。
【背景技術】
【０００２】
一眼レフカメラ等のレンズ交換式カメラは、破損、損壊又は水濡れ等を防止するため、カメラバッグに収容して持ち運ばれることが多い。また、このようなカメラバッグとしては、撮影対象や撮影場所に適した交換レンズを使用することができるように、カメラボディと複数の交換レンズとを収容可能に構成されたものも存在している。
【０００３】
しかしながら、カメラの撮影場所は、人ごみや屋外であることも多く、レンズ交換時に雨等の水滴がカメラボディや交換レンズの内部に浸入して作動不良を引き起こしたり、粉塵等のゴミがカメラボディ内の撮像素子等に付着して撮影画像に写り込んだりする場合がある。
【０００４】
このような点から、今日では、撮影現場の環境に関わらず、カメラボディと交換レンズとの着脱作業を安全かつ確実に行うことへの要請が高まっている。そして、このような問題を解決すべく、例えば「カメラバッグ」（特開２００７−１０５０９１号公報参照）が発案されている。
【０００５】
このカメラバッグは、カメラボディを収容するカメラボディケースと交換レンズを収容する交換レンズケースとを備え、このカメラボディケース及び交換レンズケースが着脱自在に構成されている。また、このカメラバッグは、カメラボディケースが、カメラボディの収容状態でこのカメラボディのマウント部と重なり合う表面部位に蓋部を有している。そのため、このカメラバッグは、レンズ交換が必要な場合にはこの蓋部を開けて素早く交換レンズを取り付けることができるとされている。
【０００６】
しかしながら、このカメラバッグは、蓋部を開けた状態でレンズ交換を行う必要があるため、レンズ交換時に雨やゴミ等がカメラボディの内部に浸入し又は付着するおそれがある。特に、カメラボディをカメラボディケースに収容した状態で交換レンズを取り付けるような場合、通常よりもレンズ交換作業に手間がかかると考えらえるため、雨やゴミ等が浸入し又は付着するおそれは高くなるとも考えられる。さらに、このカメラバッグは、カメラボディをカメラボディケースに収容した状態で蓋部を開けて交換レンズを取り付けるものであるため、交換レンズ取り付け後の撮影は、カメラボディケースにカメラボディが収容された状態で行うことになる。そのため、このカメラバッグによると、撮影作業が著しく困難になることが考えらえる。
【先行技術文献】
【特許文献】
【０００７】
【特許文献１】特開２００７−１０５０９１号公報
【考案の概要】
【考案が解決しようとする課題】
【０００８】
本考案は、このような不都合に鑑みてなされたものであり、雨やゴミ等の浸入や付着を防止しつつ容易かつ確実にレンズ交換を行うことができるカメラ収容袋及びカメラバッグの提供を目的とするものである。
【課題を解決するための手段】
【０００９】
上記課題を解決するためになされた本考案に係るカメラ収容袋は、開閉可能に構成され、かつカメラを内部空間部に収容できる袋体を備え、この袋体が、内部空間部を外部から視認できる透明部と、外部との遮断状態で手を内部空間部に挿入できる一対の手挿入用開口部とを有する。
【００１０】
当該カメラ収容袋は、袋体の内部空間部にカメラボディ及び交換レンズを収容し、一対の手挿入用開口部に手を挿入することで、このカメラボディ及び交換レンズを外部との遮断状態に保つことができる。また、当該カメラ収容袋は、袋体が、内部空間部を外部から視認できる透明部を有するので、カメラボディ及び交換レンズを内部空間部に収容した状態で、一対の手挿入用開口部から内部空間部に手を挿入して遮断状態を維持しつつ、透明部から内部空間部を視認しながら交換レンズの着脱作業を行うことができる。従って、当該カメラ収容袋は、雨やゴミ等がカメラボディや交換レンズの内部に浸入し又は付着するのを防止しつつ容易かつ確実にレンズ交換を行うことができる。
【００１１】
上記袋体が、一端側が上記手挿入用開口部の開口縁に固着され、他端側が上記内部空間部に延出する筒状の袖部をさらに有するとよい。このように、上記袋体が、一端側が上記手挿入用開口部の開口縁に固着され、他端側が上記内部空間部に延出する筒状の袖部をさらに有することによって、作業者の体毛が上記内部空間部に混入するのを防止することができると共に、作業者の腕等に雨やゴミ等が付着している場合でも、これらがレンズ交換作業時に内部空間部に混入するのを防止することができる。これにより、レンズ交換作業時に雨やゴミ等がカメラボディや交換レンズの内部に浸入し又は付着するのをさらに的確に防止することができる。
【００１２】
一対の上記手挿入用開口部を閉塞可能な被覆部材をさらに有するとよい。このように、一対の上記手挿入用開口部を閉塞可能な被覆部材をさらに有することによって、一対の手挿入用開口部に手を挿入していない場合であっても外部から内部空間部に雨やゴミ等が入り込むのを容易かつ確実に防止することができる。
【００１３】
網目状部位を有し、上記内部空間部を区画する内壁部材をさらに備え、上記透明部及び一対の手挿入用開口部が上記内壁部材によって区画される一の領域に配設され、上記袋体が、上記一の領域から区画される他の領域に掃除機ノズルを挿入できるノズル挿入用開口部をさらに有するとよい。このように、網目状部位を有する内壁部材によって区画される一の領域及び他の領域を有することで、一の領域の内部空間部にカメラボディ又は交換レンズを収容し、かつ他の領域に掃除機ノズルを挿入したうえ、網目状部位を介して一の領域の内部空間部のゴミ等を掃除機ノズルに吸引することによって、カメラボディ又は交換レンズに付着したゴミ等を容易に除去することができる。特に、例えばカメラボディをミラーアップした状態で一の領域の内部空間に収容し、かつ上記一対の手挿入用開口部から手を挿入してブロアー等で空気をカメラボディ内部に吹き付けながら内部空間部のゴミ等を掃除機ノズルで吸引するようにすれば、通常は除去困難とされる撮像素子に付着したゴミ等であっても容易に除去することができる。
【００１４】
また、上記課題を解決するためになされた本考案に係るカメラバッグは、上記構成を有する当該カメラ収容袋を備える。
【００１５】
当該カメラバッグは、当該カメラ収容袋を備えるので、上述のように雨やゴミ等がカメラボディや交換レンズの内部に浸入し又は付着するのを防止しつつ容易かつ確実にカメラボディと交換レンズとの着脱作業を行うことができる。また、当該カメラバッグは、カメラボディや交換レンズを撮影場所に容易に持ち運ぶことができると共に、撮影現場の環境に関わらず、安全かつ確実にレンズ交換作業を行うことができる。
【００１６】
なお、本考案において、「カメラ」とは、カメラボディと交換レンズとを備える構成のものをいう。ただし、「カメラ」という場合、交換レンズがカメラボディに取り付けられている必要はなく、交換レンズがカメラボディから取り外された状態であってもよい。また、「遮断状態」とは、内部空間部と外部との間における雨やゴミ等の一切の移動が防止される状態の他、内部空間部と外部との間における雨やゴミ等の移動が全体的に（部分的ではなく）防止される状態も含む概念である。
【考案の効果】
【００１７】
以上説明したように、本考案のカメラ収容袋及びカメラバッグは、雨やゴミ等の浸入や付着を防止しつつ容易かつ確実にレンズ交換を行うことができる
【図面の簡単な説明】
【００１８】
【図１】本考案の第一実施形態に係るカメラバッグを示す模式的斜視図である。
【図２】図１のカメラバッグの被覆部材を開いた状態を示す模式的斜視図である。
【図３】図１のカメラバッグの内壁部材の露出状態を示す模式的斜視図である。
【図４】図１のカメラバッグの一の領域の内部空間部を示す模式的断面図である。
【図５】図１のカメラバッグを用いたレンズ交換作業の作業状況を示す説明図である。
【図６】図１のカメラバッグを用いたゴミ除去作業の作業手順を示す説明図である。
【図７】図１のカメラバッグを用いたゴミ除去作業の作業状況を示す説明図である。
【考案を実施するための形態】
【００１９】
以下、適宜図面を参照しつつ、本考案の実施の形態を詳説する。
【００２０】
［第一実施形態］
＜カメラバッグ＞
図１のカメラバッグは、カメラ収容袋１と、一対の背負いバンド２とを有するカメラリュックとして構成されている。
【００２１】
（カメラ収容袋）
カメラ収容袋１は、図２及び図３に示すように、開閉可能に構成され、かつカメラを内部空間部に収容できる袋体３と、上記内部空間部を区画し、袋体３を一の領域９及び他の領域１０に区画する内壁部材８と、袋体３の外面を被覆する被覆部材１１とを有する。
【００２２】
カメラ収容袋１は、上記内部空間部においてカメラボディ及び交換レンズの着脱作業を行うことができるよう構成されている。
【００２３】
また、カメラ収容袋１は、一の領域９の内部空間部にカメラボディを挿入すると共に、他の領域１０の内部空間部に掃除機ノズルを挿入することでカメラボディの内部に付着したゴミ等を除去可能に構成されている。
【００２４】
（袋体）
袋体３は、表面部４と、裏面部５と、底面部６と、周面部７とを有し、上部の左右端が面取り状に形成された平面視略矩形状に形成されている。また、袋体３は、表面部４と周面部７との上部境界に沿って設けられるスライドファスナーによって開閉可能に構成されている。なお、本明細書において、「上」とは、一対の背負いバンド２を肩にかけて当該カメラバッグを背中に背負った状態における上を意味し、「底」とは、その逆を意味する。また、「裏面」とは、一対の背負いバンド２を肩にかけて当該カメラバッグを背中に背負った状態において背中と対向する側の面を意味し、「表面」とは、その逆側の面を意味する。さらに「左右」とは、表面側から見た場合の左右を意味する。
【００２５】
袋体３は、上記内部空間部を外部から視認できる透明部１２と、外部との遮断状態で手を上記内部空間部に挿入できる一対の手挿入用開口部１３とを有する。また、袋体３は、図４に示すように、一端側が一対の手挿入用開口部１３の開口縁に固着され、他端側が上記内部空間部に延出する筒状の一対の袖部１４を有する。透明部１２、一対の手挿入用開口部１３及び一対の袖部１４は、いずれも一の領域９に配設されている。さらに、袋体３は、一の領域９と区画される他の領域１０に掃除機ノズルを挿入できるノズル挿入用開口部１６を有する。
【００２６】
（透明部）
透明部１２の形成材料としては、上記内部空間部を外部から視認可能に構成できる限り特に限定されるものではなく、例えば合成樹脂、ガラス等が挙げられる。これらの中でも、可撓性に優れる合成樹脂が好ましい。なお、透明部１２は、有色透明及び無色透明のいずれであってもよいが、上記内部空間部の視認容易性の点から無色透明が好ましい。
【００２７】
上記合成樹脂としては、例えばポリエチレン、ポリプロピレン等のポリオレフィン、ポリエチレンナフタレート、ポリエチレンテレフタレート等のポリエステル、ナイロン−６、ナイロン６６等のポリアミド、ポリスチレン、エチレンビニルアルコール、ポリビニルアルコール、ポリ塩化ビニル、ポリイミド、ポリカーボネート、ポリエーテルスルホン、アクリル樹脂、トリアセチルセルロース、ジアセチルセルロース等のセルロース樹脂等が挙げられる。
【００２８】
透明部１２は、一の領域９における表面部４の略中央に配設されている。透明部１２の形状としては、特に限定されるものではなく、例えば矩形状、台形状、円形状、楕円形状等が挙げられる。これらの中でも、上記内部空間部の広い範囲を容易に視認可能な矩形状又は台形状が好ましい。
【００２９】
透明部１２の平均幅の下限としては、１０ｃｍが好ましく、１２ｃｍがより好ましく、１５ｃｍがさらに好ましい。一方、透明部１２の平均幅の上限としては、４０ｃｍが好ましく、３０ｃｍがより好ましく、２０ｃｍがさらに好ましい。透明部１２の平均幅が上記下限未満の場合、上記内部空間部の視認可能領域が小さくなり、レンズ交換作業、ゴミ除去作業等を外部から視認しつつ上記内部空間部で行うのが困難になるおそれがある。逆に、透明部１２の平均幅が上記上限を超える場合、袋体３の幅が大きくなり過ぎ、当該カメラバッグを背中に背負うのが困難になるおそれがある。
【００３０】
透明部１２の平均高さの下限としては、８ｃｍが好ましく、１０ｃｍがより好ましく、１２ｃｍがさらに好ましい。一方、透明部１２の平均高さの上限としては、３０ｃｍが好ましく、２０ｃｍがより好ましく、１４ｃｍがさらに好ましい。透明部１２の平均高さが上記下限未満の場合、上記内部空間部の視認可能領域が小さくなり、レンズ交換作業、ゴミ除去作業等を外部から視認しつつ上記内部空間部で行うのが困難になるおそれがある。逆に、透明部１２の平均高さが上記上限を超える場合、袋体３の大型化を招き、当該カメラバッグを背中に背負うのが困難になるおそれがある。
【００３１】
また、透明部１２の平均厚みとしては、袋体３として必要とされる強度及び可撓性を有する限り特に限定されるものではなく、例えば０．１ｍｍ以上３ｍｍ以下とすることができる。
【００３２】
（手挿入用開口部）
一対の手挿入用開口部１３は、周面部７の上部の左右方向対向位置に形成されている。具体的には、一対の手挿入用開口部１３は、周面部７上部における左右端が面取り状に形成された箇所に形成されている。一対の手挿入用開口部１３の形状としては、特に限定されず、例えば矩形状、円形状、楕円形状等が挙げられる。これらの中でも、一方の手挿入用開口部１３ａに右手又は左手の一方の手を挿入し、かつ他方の手挿入用開口部１３ｂに他方の手を挿入した状態において、両手を上記内部空間部で左右方向に動かしやすいと共に、他の領域１０の内部空間部に掃除機ノズルを挿入し、この掃除機ノズルによって一の領域９の内部空間部の空気を吸引する場合に一の領域９の内部空間部に外気を取り入れやすい矩形状が好ましく、左右方向が長手方向とされ、かつ四隅が角取りされた矩形状が特に好ましい。
【００３３】
一方の手挿入用開口部１３ａと他方の手挿入用開口部１３ｂとの配設間隔の下限としては、１５ｃｍが好ましく、１７ｃｍがより好ましく、２０ｃｍがさらに好ましい。一方、一方の手挿入用開口部１３ａと他方の手挿入用開口部１３ｂとの配設間隔の上限としては、３０ｃｍが好ましく、２７ｃｍがより好ましく、２５ｃｍがさらに好ましい。一方の手挿入用開口部１３ａと他方の手挿入用開口部１３ｂとの配設間隔が上記下限未満の場合、一方の手挿入用開口部１３ａに右手又は左手の一方の手を挿入し、かつ他方の手挿入用開口部１３ｂに他方の手を挿入した状態における両手間の間隔が十分に取れず、レンズ交換作業及びゴミ除去作業の作業性が低下するおそれがある。逆に、一方の手挿入用開口部１３ａと他方の手挿入用開口部１３ｂとの配設間隔が上記上限を超える場合、一方の手挿入用開口部１３ａに右手又は左手の一方の手を挿入し、かつ他方の手挿入用開口部１３ｂに他方の手を挿入した状態における両手間の間隔が広くなり過ぎて、レンズ交換作業及びゴミ除去作業の作業性が低下するおそれがある。なお、「一方の手挿入用開口部１３ａと他方の手挿入用開口部１３ｂとの配設間隔」とは、一方の手挿入用開口部１３ａの内側端部と他方の手挿入用開口部１３ｂの内側端部との直線距離を意味する。
【００３４】
一対の手挿入用開口部１３の左右方向平均長さの下限としては、８ｃｍが好ましく、１０ｃｍがより好ましい。一方、一対の手挿入用開口部１３の左右方向平均長さの上限としては、１５ｃｍが好ましく、１３ｃｍがより好ましい。一対の手挿入用開口部１３の左右方向平均長さが上記下限未満の場合、一方の手挿入用開口部１３ａに右手又は左手の一方の手を挿入し、かつ他方の手挿入用開口部１３ｂに他方の手を挿入した状態において、上記内部空間部で両手を左右方向に動かしにくくなるおそれがある。逆に、一対の手挿入用開口部１３の左右方向平均長さが上記上限を超える場合、一対の手挿入用開口部１３に手を挿入した状態において一対の手挿入用開口部１３と手との間の空隙が大きくなり、遮断状態を維持できなくなるおそれがある。なお、「手挿入用開口部１３の左右方向平均長さ」とは、手挿入用開口部１３の右端縁及び左端縁の平均直線長さを意味する。
【００３５】
一対の手挿入用開口部１３の表裏方向平均長さの下限としては、５ｃｍが好ましく、７ｃｍがさらに好ましい。一方、一対の手挿入用開口部１３の表裏方向平均長さの上限としては、１２ｃｍが好ましく、１０ｃｍがより好ましい。一対の手挿入用開口部１３の表裏方向平均長さが上記下限未満の場合、一方の手挿入用開口部１３ａに右手又は左手の一方の手を挿入し、かつ他方の手挿入用開口部１３ｂに他方の手を挿入した状態において、上記内部空間部で両手を動かしにくくなるおそれがある。逆に、一対の手挿入用開口部１３の表裏方向平均長さが上記上限を超える場合、一対の手挿入用開口部１３に手を挿入した状態において一対の手挿入用開口部１３と手との間の空隙が大きくなり、遮断状態を維持できなくなるおそれがある。なお、「手挿入用開口部１３の表裏方向平均長さ」とは、手挿入用開口部１３の表側端縁及び裏側端縁の平均直線長さを意味する。
【００３６】
（袖部）
一対の袖部１４は、一対の手挿入用開口部１３の開口縁に固着される一端側から上記内部空間部側の他端側にかけて徐々に縮径されるよう形成されている。一対の袖部１４の形成材料としては、一対の袖部１４に手を挿入でき、かつ一対の袖部１４に手を挿入した状態で適度に手を動かせるだけの柔軟性を有する限り特に限定されず、例えば綿布、絹布、麻布、皮革、化学繊維等が挙げられる。中でも、一対の袖部１４の形成材料としては、他の領域１０の内部空間部に掃除機ノズルを挿入し、この掃除機ノズルによって一の領域９の内部空間部の空気を吸引する場合に一の領域９の内部空間部に外気を容易に取り入れることができると共に、外部のゴミ等の内部空間部への侵入を防止することができるメッシュ生地が好ましい。さらに、一対の袖部１４は、例えば他端側の周縁に沿ってエラストマー等の伸縮部材を取り付けて上記内部空間部と外部との遮断性を高めてもよい。なお、一対の袖部１４は、レンズ交換作業又はゴミ除去作業時に手を挿入するものであるため、かかる作業時以外は、他端側開口を閉じた状態で例えば裏面部５の内面に止着されていてもよい。当該カメラバッグは、かかる構成によれば、作業時以外における上記内部空間部と外部との遮断性を向上することができる。
【００３７】
一対の袖部１４の他端側の平均開口径の下限としては、４ｃｍが好ましく、５ｃｍがより好ましい。一方、一対の袖部１４の他端側の平均開口径の上限としては、９ｃｍが好ましく、８ｃｍがさらに好ましい。一対の袖部１４の他端側の平均開口径が上記下限未満の場合、手を挿入し難くなるおそれがあると共に、一方の袖部１４ａに右手又は左手の一方の手を挿入し、かつ他方の袖部１４ｂに他方の手を挿入した状態において、上記内部空間部で両手を動かしにくくなるおそれがある。逆に、一対の袖部１４の他端側の平均開口径が上記上限を超える場合、一対の袖部１４に手を挿入した状態において一対の袖部１４と手との間の空隙が大きくなり、遮断状態を維持できなくなるおそれがある。なお、「袖部１４の他端側の平均開口径」とは、円形の場合は直径をいい、楕円形の場合は長径及び短径の平均をいい、その他の形状の場合は断面積を真円の面積に換算した場合の真円の直径をいうものとする。
【００３８】
一対の袖部１４の軸方向平均長さの下限としては、５ｃｍが好ましく、８ｃｍがより好ましく、１２ｃｍがさらに好ましい。一方、一対の袖部１４の軸方向平均長さの上限としては、２０ｃｍが好ましく、１８ｃｍがより好ましい。一対の袖部１４の軸方向平均長さが上記下限未満の場合、一対の袖部１４によって手首付近まで被覆することができないおそれがあり、一対の袖部１４によって被覆されていない部分から体毛等が上記内部空間部に入り込むおそれがある。逆に、一対の袖部１４の軸方向平均長さが上記上限を超える場合、一対の袖部１４が長くなり過ぎて作業性が悪化するおそれがある。
【００３９】
（被覆部材）
被覆部材１１は、一の領域９における周面部７の下端縁１５から一の領域９における周面部７の裏面側端縁に亘って固着されるフード部１１ａと、一の領域９における表面部４の下端縁において固着される表蓋部１１ｂとを有し、フード部１１ａの表面側端縁と表蓋部１１ｂの周面側端縁とが着脱可能に構成されている。フード部１１ａと表蓋部１１ｂの着脱手段としては、特に限定されず、例えば面ファスナー、スライドファスナー、ボタン、紐等が挙げられる。これらの中でも、フード部１１ａの表面側端縁と表蓋部１１ｂの周面側端縁とを切れ目なくかつ的確に閉塞できるスライドファスナーが好ましい。
【００４０】
被覆部材１１は、一対の手挿入用開口部１３及び透明部１２を閉塞可能に構成されている。具体的には、被覆部材１１は、フード部１１ａによって一対の手挿入用開口部１３を閉塞可能に構成され、表蓋部１１ｂによって透明部１２を閉塞可能に構成されている。
【００４１】
（ノズル挿入用開口部）
ノズル挿入用開口部１６は、掃除機ノズルを挿入可能に構成されている。ノズル挿入用開口部１６は、他の領域１０の上縁に沿って形成されている。具体的には、袋体３は、図３（ａ）に示すように、一の領域９及び他の領域１０を区画する内壁部材８の下面に沿って表面部４及び周面部７が開閉可能に構成されている。また、この開閉手段としては、スライドファスナーが用いられている。ノズル挿入用開口部１６は、このスライドファスナーを掃除機ノズルが挿入可能な長さを残して閉めることで形成される。
【００４２】
（内壁部材）
内壁部材８は、一の領域９と他の領域１０とを区画する。内壁部材８は、図３（ａ）、（ｂ）に示すように、内壁部材本体８ａと、内壁部材本体８ａの表面側に重設され、網目状部位を有する網目部材８ｂとを有する。内壁部材本体８ａは、図３（ａ）に示すように、一の領域９における表面部４の下端縁、裏面部５の下端縁及び周面部７の下端縁１５と連結されている。詳細には、内壁部材本体８ａは、一の領域９における裏面部５の下端縁と裏面側において固着されると共に、一の領域９における表面部４の下端縁及び周面部７の下端縁１５と着脱可能に構成されている。これにより、内壁部材本体８ａは、一の領域９の内部空間部及び他の領域１０の内部空間部をそれぞれ外部と遮断可能に構成する。内壁部材本体８ａと表面部４の下端縁及び周面部７の下端縁との着脱手段としては、特に限定されず、例えば面ファスナー、スライドファスナー、ボタン、紐等が挙げられる。これらの中でも、内壁部材本体８ａの周縁と表面部４の下端縁及び周面部７の下端縁とを切れ目なくかつ的確に閉塞できるスライドファスナーが好ましい。なお、内壁部材本体８ａは、一の領域９における表面部４の下端縁及び周面部７の下端縁に加え、一の領域９における裏面部５の下端縁とも着脱可能に構成されてもよい。
【００４３】
網目部材８ｂは、図３（ｂ）に示すように、内壁部材本体８ａの表面側に重設されると共に、一の領域９における表面部４の下端縁、裏面部５の下端縁及び周面部７の下端縁１５と連結されている。網目部材８ｂは、一の領域９における表面部４の下端縁、裏面部５の下端縁及び周面部７の下端縁１５と固着されていてもよく、また着脱可能に構成されていてもよい。ただし、レンズ交換作業の容易性を向上する点からは、レンズ交換作業を行ううえでの作業スペースを大きく取れるよう、着脱可能に構成されている方が好ましい。また、網目部材８ｂは、必ずしも一の領域９及び他の領域１０を区画する全領域が網目状部位として形成される必要はなく、一部のみが網目状部位とされていてもよい。
【００４４】
（背負いバンド）
一対の背負いバンド２は、カメラ収容袋１を肩に背負えるよう、一端が裏面部５の上部に固着され、他端が裏面部５の下部に固着されている。一対の背負いバンド２は、当該カメラバッグの左右方向中心線に対して対称となる位置に配設されている。
【００４５】
＜レンズ交換作業＞
次に、図５を参照して、当該カメラバッグを用いた交換レンズの着脱作業について説明する。
【００４６】
まず、スライドファスナー等を外すことによってフード部１１ａ及び表蓋部１１ｂの連結を解除する。続いて、表面部４及び周面部７の上部境界に沿って設けられるスライドファスナーを開き、上記内部空間部にカメラボディ１０１及び交換レンズ１０２を収容したうえ、再度スライドファスナーを閉める。次に、図５に示すように、一方の手挿入用開口部１３ａ及び一方の袖部１４ａに右手又は左手を挿入すると共に、他方の手挿入用開口部１３ｂ及び他方の袖部１４ｂに一方の手挿入用開口部１３ａに挿入していない側の手を挿入する。そして、透明部１２から、上記内部空間部を視認しつつ、交換レンズ１０２をカメラボディ１０１に取り付ける。なお、上記説明では、カメラボディ１０１及び交換レンズ１０２を取り付ける場合について述べたが、交換レンズ１０２がカメラボディ１０１に取り付けられた状態のカメラを上記内部空間部に収容し、透明部１２から視認しつつ交換レンズ１０２をカメラボディ１０１から取り外すことも可能である。また、内壁部材８が袋体３から取り外し可能に構成されている場合には、作業スペースとなる内部空間部を広くし、望遠レンズ等の脱着を容易にすべく、内壁部材８を予め袋体３から取り外しておくことで、広げた空間での作業が可能となる。
【００４７】
＜ゴミ等の除去作業＞
続いて、図６及び図７を参照して、当該カメラバッグを用いたゴミ等の除去作業について説明する。
【００４８】
まず、図６（ａ）に示すように、内壁部材本体８ａと表面部４及び周面部７との連結を解除する。次に、内壁部材８の下面に沿って表面部４及び周面部７に設けられるスライドファスナーを掃除機ノズルが挿入可能な長さを残して閉め合わせてノズル挿入用開口部１６を形成する。続いて、図６（ｂ）に示すように、ノズル挿入用開口部１６に掃除機ノズル１０３を挿入する。
【００４９】
また、スライドファスナー等を外すことによってフード部１１ａ及び表蓋部１１ｂの連結を解除する。そして、表面部４及び周面部７の上部境界に沿って設けられるスライドファスナーを開き、一の領域９の内部空間部にカメラボディ１０１及びブロアー１０４を収容したうえ、再度スライドファスナーを閉める。次に、図７に示すように、一方の手挿入用開口部１３ａ及び一方の袖部１４ａに右手又は左手を挿入すると共に、他方の手挿入用開口部１３ｂ及び他方の袖部１４ｂに一方の手挿入用開口部１３ａに挿入していない側の手を挿入する。そして、透明部１２から一方の領域９の内部空間部を視認しつつ、ブロアー１０４を用いて空気をカメラボディ１０１内部に吹き付けると共に、掃除機ノズル１０３によって一の領域９における内部空間部のゴミ等を吸引する。
【００５０】
＜利点＞
当該カメラ収容袋１は、袋体３の内部空間部にカメラボディ及び交換レンズを収容し、一対の手挿入用開口部１３に手を挿入することによって、このカメラボディ及び交換レンズを外部との遮断状態に保つことができる。また、当該カメラ収容袋１は、袋体３が内部空間部を外部から視認できる透明部１２を有するので、カメラボディ及び交換レンズを内部空間部に収容した状態で、一対の手挿入用開口部１３から内部空間部に手を挿入して遮断状態を維持しつつ、透明部１２から内部空間部を視認しながら交換レンズの着脱作業を行うことができる。従って、当該カメラ収容袋１は、雨やゴミ等がカメラボディや交換レンズの内部に浸入し又は付着するのを防止しつつ容易かつ確実にレンズ交換を行うことができる。
【００５１】
当該カメラ収容袋１は、袋体３が、一端側が手挿入用開口部１３の開口縁に固着され、他端側が上記内部空間部に延出する筒状の袖部１４を有するので、作業者の体毛が上記内部空間部に混入するのを防止することができると共に、作業者の腕等に雨やゴミ等が付着している場合でも、これらがレンズ交換作業時に上記内部空間部に混入するのを防止することができる。これにより、当該カメラ収容袋１は、レンズ交換作業時に雨やゴミ等がカメラボディや交換レンズの内部に浸入し又は付着するのをさらに的確に防止することができる。
【００５２】
当該カメラ収容袋１は、一対の手挿入用開口部１３を閉塞可能な被覆部材１１を有するので、一対の手挿入用開口部１３に手を挿入していない場合であっても外部から上記内部空間部に雨やゴミ等が入り込むのを容易かつ確実に防止することができる。また、特に、当該カメラ収容袋１は、一対の手挿入用開口部１３を閉塞可能なフード部１１ａ及び透明部１２を閉塞可能な表蓋部１１ｂを有するので、上記内部空間部に雨やゴミ等が入り込むのを防止することができると共に、雨やゴミ等の付着に起因して透明部１２が汚れるのを防止することができる。従って、当該カメラ収容袋１は、レンズ交換やゴミ等の除去作業をより的確に行うことができる。
【００５３】
当該カメラ収容袋１は、網目部材８ｂを有する内壁部材８によって区画される一の領域９及び他の領域１０を有するので、一の領域９の上記内部空間部にカメラボディ又は交換レンズを収容し、かつ他の領域１０に掃除機ノズルを挿入したうえ、網目部材８ｂを介して一の領域９の上記内部空間部のゴミ等を掃除機ノズルに吸引することによって、カメラボディ又は交換レンズに付着したゴミ等を容易に除去することができる。特に、当該カメラ収容袋１は、例えばカメラボディをミラーアップした状態で一の領域９の上記内部空間に収容し、かつ一対の手挿入用開口部１３から手を挿入してブロアー等で空気をカメラボディ内部に吹き付けながら上記内部空間部のゴミ等を掃除機ノズルで吸引するようにすれば、通常は除去困難とされる撮像素子に付着したゴミ等であっても容易に除去することができる。
【００５４】
当該カメラバッグは、当該カメラ収容袋１を備えるので、上述のように雨やゴミ等がカメラボディや交換レンズの内部に浸入し又は付着するのを防止しつつ容易かつ確実にカメラボディと交換レンズとの着脱作業を行うことができる。また、当該カメラバッグは、カメラボディや交換レンズを撮影場所に容易に持ち運ぶことができると共に、撮影現場の環境に関わらず、安全かつ確実にレンズ交換作業を行うことができる。
【００５５】
［その他の実施形態］
なお、本考案のカメラ収容袋及びカメラバッグは、上記態様の他、種々の変更、改良を施した態様で実施することができる。例えば当該カメラ収容袋は、必ずしもカメラバックとして構成される必要はなく、例えば据え置き用の袋として構成されてもよい。また、当該カメラ収容袋は、カメラバッグとして構成される場合であっても、リュック型である必要はなく、手提げ型等であってもよい。
【００５６】
当該カメラ収容袋は、必ずしも袋体の表面部に透明部が形成され、周面部に一対の手挿入用開口部が形成される必要はなく、例えば周面部の上縁に透明部が形成され、この透明部の左右に一対の手挿入用開口部が形成されてもよい。当該カメラ収容袋は、かかる構成によっても、透明部から内部空間部を視認しつつ、レンズ交換作業やゴミ等の除去作業を行うことができる。
【００５７】
当該カメラ収容袋が被覆部材を有する場合、この被覆部材は必ずしも一対の手挿入用開口部及び透明部を閉塞可能に構成される必要はなく、一対の手挿入用開口部のみを閉塞可能に構成されてもよい。
【００５８】
当該カメラ収容袋は、必ずしも内壁部材が内壁部材本体と網目部材とを有する必要はない。当該カメラ収容袋は、例えば内壁部材本体の一部に網目状部位が形成されていてもよい。また、この場合、上記網目状部位を被覆可能に構成されるカバー部をさらに有していてもよい。
【００５９】
当該カメラ収容袋は、上記他の領域が、仕切り等によってさらに複数の領域に区画されていてもよい。また、当該カメラ収容袋は、上記一の領域についても、折り畳み、着脱等が可能な仕切りをさらに有していてもよい。当該カメラ収容袋は、上記一の領域が、折り畳み、着脱等が可能な仕切りをさらに有する場合であっても、内部空間部でレンズ交換作業やゴミ等の除去作業を行う場合にこの仕切りを折り畳み又は取り外すことによって作業性の低下を防止することができる。
【００６０】
上記ノズル挿入用開口部は、必ずしもスライドファスナーの閉める長さを調整することで形成される必要はなく、例えば周面部に別途設けられていてもよい。
【産業上の利用可能性】
【００６１】
以上のように、本考案のカメラ収容袋及びカメラバッグは、雨やゴミ等の浸入や付着を防止しつつ容易かつ確実にレンズ交換を行うのに適しており、カメラボディや交換レンズを収容して撮影現場に持ち運ぶためのカメラリュック等として好適である。
【符号の説明】
【００６２】
１  カメラ収容袋
２  背負いバンド
３  袋体
４  表面部
５  裏面部
６  底面部
７  周面部
８  内壁部材
８ａ  内壁部材本体
８ｂ  網目部材
９  一の領域
１０  他の領域
１１  被覆部材
１１ａ  フード部
１１ｂ  表蓋部
１２  透明部
１３  手挿入用開口部
１４  袖部
１５  下端縁
１６  ノズル挿入用開口部
１０１  カメラボディ
１０２  交換レンズ
１０３  掃除機ノズル
１０４  ブロアー
【図１】
0003195335.tif 000003
【図２】
0003195335.tif 000004
【図３】
0003195335.tif 000005
【図４】
0003195335.tif 000006
【図５】
0003195335.tif 000007
【図６】
0003195335.tif 000008
【図７】
0003195335.tif 000009